(57)【要約】【課題】  リング状の綴じ片の先端を台紙に設けられたスリット内へ挿入した場合に、綴じ片がスリット内から簡単に抜け出ることなく、確実に挿着係止できる接着剤を用いないカレンダーを提供する。【解決手段】  台紙２の上辺部に、台紙上辺と平行な向きの折曲げ線５と、この折曲げ線の両端を基点として台紙上辺と直交する方向へ延出する一対の切込み線６の上端とを設けて、この折曲げ線の両端と一対の切込み線６の上端との交点に、一対の小孔７開設して、この小孔内空間により折曲げ線５の長さを延長させ、先端に前記折曲げ線５の長さよりも横幅の大きい係止フック８とを設けたリング綴じ片４とを備える。【選択図】  図１
2006247865.tif 000002
【特許請求の範囲】
【請求項１】
紙葉の上辺より所定の間隔をおいた下方位置に、長さが紙葉の上辺と平行な向きで、互いに所定の間隔をおいて開設された複数個のスリットを有する複数枚のカレンダー紙葉と、前記カレンダー紙葉の背面に配置され、上辺部に前記紙葉のスリット内へ挿通されて紙葉を綴じるための複数のリング綴じ片とを有する台紙とからなるカレンダーにおいて、
前記台紙の上辺部に設けられるリング綴じ片は、前記紙葉のスリットと対応する高さ位置に設けた台紙上辺と平行な向きの折曲げ線と、この折曲げ線を基点として台紙上辺と直交する方向へ延出する前記紙葉のスリット内へ挿通可能な幅の一対の切込み線とを有し、
前記折曲げ線の両端に前記切込み線の上端を含む一対の小孔を開設して、これらの小孔内空間により折曲げ線の長さを延長させ、かつ、前記切込み線の内側には、前記折曲げ線を基点として台紙上方から紙葉の前面を通ってスリット内へリング状に巻き込める長さと、先端に前記一対の小孔により長さを延長させた折曲げ線の長さよりも横幅の大きい係止フックとを設けたことを特徴とするカレンダー。
【請求項２】
台紙が、一枚の台紙の中央部に設けられた中央折り線を介して山形に折り曲げられた前後２枚の表台紙と裏台紙とからなっていて、紙葉を綴じるための表台紙は、中央折り線の下方に、両端に開設した小孔内空間によって長さを延長させた折曲げ線と、この折曲げ線を起点として紙葉のスリット内を通して台紙の上辺方向へリング状に巻き込める長さと、先端に前記紙葉スリットの長さよりも横幅の大きい係止フックとを設けたリング綴じ片を備え、他方の裏台紙の上辺部には、前記リング綴じ片の先端の係止フックが挿通された状態で、フック両端がスリットの内側に係止されるような幅の係止スリットを有している請求項１のカレンダー。
【請求項３】
リング綴じ片の先端部に設けられる係止フックの前縁が、ドーム状に膨出している請求項１又は２のカレンダー。
【請求項４】
台紙の上辺部に設けられるリング綴じ片の折曲げ線が、この折曲げ線の両端部に開設された一対の小孔における台紙上辺に接近した位置をそれぞれ接点とする接線上に設けられている請求項１又は２のカレンダー。
【請求項５】
台紙の上辺部においてリング綴じ片の両側縁を形成する一対の切込み線が、一対の小孔の相対向する曲面位置を接点とする接線から、上方の折曲げ線と直交する方向へ平行に延出されている請求項１又は２のカレンダー。
【発明の詳細な説明】
【技術分野】
【０００１】
本発明は、複数枚のカレンダー紙葉を綴じるための綴じ具も台紙の一部を利用することにより、使用後の焼却に際して有害ガスを発生しない、環境に適したカレンダーの構造に関する。
【背景技術】
【０００２】
従来より、この種のカレンダーとしては、複数枚の紙葉の上端を金具により巻き締めたものが広く知られていたが、使用後の廃棄に際して焼却できないという問題があり、その後、カレンダー紙葉の上端をホットメルトのような樹脂製接着剤により固着したものが用いられるようになったが、この種のカレンダーでは使用後の廃棄に際して焼却すると、有害ガスが発生するので環境衛生上好ましくないという問題点が指摘されており、このような観点から、構成部材として金属やや樹脂製接着剤を用いない、紙だけの素材からなるカレンダーの出現が望まれている。
【０００３】
従来においても紙だけを素材とするカレンダーとしては、複数枚のカレンダー紙葉の上辺に綴じ込み凸部を突設するとともに、この凸部の下方に該凸部を挿通することのでき幅のスリットを設けておき、紙葉の上辺に沿って凸部を下方へ折り曲げてから、この凸部をスリット内を通して紙葉の裏面側へ突出し、次いで上方へ折り返えすことを特徴としている（例えば、特許文献１、特許文献２、特許文献３参照）。
【０００４】
また別の構造として、カレンダー紙葉の背面に配置する台紙の上辺部に、上端の折曲げ線を介してＵ字状の切り込みを設けることで、複数の舌片状の綴じ具を縦向きに設けておき、これらの綴じ具を、複数枚のカレンダー紙葉の上方の折曲げ線を起点として、台紙の上辺方向へリング状に巻き込んでから、綴じ具先端部を紙葉のスリット内へ差込んで挿着する卓上カレンダーの構造が知れている（特許文献４参照）。
【０００５】
【特許文献１】特開２００１−２１９６７２号公報
【特許文献２】特開２００１−２１９６７１号公報
【特許文献３】実公昭５３−２７６号公報
【特許文献４】実公昭６０−２１２５９号公報
【発明の開示】
【発明が解決しようとする課題】
【０００６】
特許文献１及び特許文献２に示されるカレンダーでは、複数枚の紙葉の上辺中央部に綴じ込み凸部を設けて、この綴じ込み凸部を折り曲げてから下方のスリット内へ挿通し、次に綴じ込み凸部を上方へ折り返えす構造なので、紙葉の上方に幅の広い範囲にわたる白紙の折曲げ片と、この折曲げ片の上辺に白紙の綴じ込み凸部とを幅広く突設しておくことが必要となる。
【０００７】
そのため、図柄などの印刷される上質のカレンダー紙葉の上部に、印刷の施されない大幅な範囲の余白部分を予め設けておくことと、綴じ込み凸部やスリットなどを設けるための裁断加工を行い、次いで綴じ込み凸部を折り曲げてスリット内へ挿通するなどの綴じ加工を行うという手間とを必要とし、全ての紙葉に余分な白紙スペースを設けることによる分、資源の無駄を生ずるという問題がある。
【０００８】
また、特許文献１のカレンダーでは、接着剤を使用しないでも製造できると記載されているが、接着剤を用いない場合には、重ねられた各紙葉の上辺が接着剤により固着されていないために、紙葉の上辺部の強度が欠け、中央の綴じ込み凸部だけが長時間吊り下げられていることにより、綴じ部の両側部分が、前方へ垂れ下がるように折れ曲がってしまい、紙葉を水平に吊下げた状態を維持できなくなるという大きな問題を有しており、結果として、接着剤を使用しなければならない。
【０００９】
特許文献２では、綴じ込み凸部を紙葉の上辺中央部にだけでなく、間隔を置いて全長にわたって複数個設けるので、紙葉上辺における綴じ部凸部の両側部分が、前方へ垂れ下がるように折れ曲がるという不具合は解消できるが、紙葉を綴じるための綴じ込み凸部はスリットを通して紙葉の背面側へ挿通されたままの形状となるので、紙葉を一枚ずつ引き剥がすべく引っ張った際に、複数枚の紙葉が一度に剥がれてしまうことになり、結果として、紙葉の背面側へ突出した綴じ込み凸部の先端部を接着剤で紙葉背面へ固定しなければならないという問題がある。
【００１０】
特許文献３は、それぞれの紙葉の上部中央に設けたスリットに紙葉とは別の表紙の上辺に綴じ込み凸部を突設し、この綴じ込み凸部を、複数枚の紙葉のスリット内に挿通する構造であるが、スリット内に挿通した綴じ込み凸部の先端がスリットから抜け出ないようにするための抜け止め片を設けなければならず、結果として、抜け止め片を設けるために接着剤を使用しなければならないという問題がある。
【００１１】
一方、特許文献４に示されたカレンダーは、一方の台紙にＵ字状の綴じ込み凸部を設け、この綴じ込み凸部の先端を、台紙の上辺へリング状に巻回してから複数枚の紙葉のスリット内を通して、別の台紙に設けたスリット内へ挿着する構造であるが、綴じ込み凸部の先端を別の台紙に設けたスリット内へ挿着する構造が確実に行えないために、綴じ込み凸部の先端が別の台紙のスリット内から簡単に抜け出てしまい、適切な係止作用を発揮できないという問題を有している。
【課題を解決するための手段】
【００１２】
本発明は、従来におけるこの種のカレンダーの問題点、例えば、特許文献１のカレンダーのように、複数枚の紙葉を、中央部の綴じ込み凸部だけで綴じることによる、綴じ部の両側部分が前方へ垂れ下がってしまうという問題、また、特許文献２のカレンダーのような、紙葉を綴じるための綴じ込み凸部を、スリットを通して紙葉の背面側へ挿通したままとすることによる、綴じ込みの不完全性という問題を解消することを目的とする。
【００１３】
さらには、特許文献３のカレンダーのような、紙葉のスリット内に挿通した綴じ込み凸部の先端がスリットから抜け出ないようにするために接着剤を用いて抜け止め片を設けなければならないという問題、また、特許文献４のカレンダーのように、綴じ込み凸部の先端を別の台紙に設けたスリット内へ挿着係止することが確実に行えないために、綴じ込み凸部の先端が別の台紙のスリット内から簡単に抜け出てしまうという問題などを解消することを目的としている。
【００１４】
本発明のカレンダーは、そのための具体的手段として、紙葉の上辺より所定の間隔をおいた下方位置に、長さが紙葉の上辺と平行な向きで、互いに所定の間隔をおいて開設された複数個のスリットを有する複数枚のカレンダー紙葉と、前記カレンダー紙葉の背面に配置され、上辺部に前記紙葉のスリット内へ挿通されて紙葉を綴じるための複数のリング綴じ片とを有する台紙とからなるカレンダーにおいて、前記台紙の上辺部に設けられるリング綴じ片は、前記紙葉のスリットと対応する高さ位置に設けた台紙上辺と平行な向きの折曲げ線と、この折曲げ線を基点として台紙上辺と直交する方向へ延出する前記紙葉のスリット内へ挿通可能な幅の一対の切込み線とを有し、
前記折曲げ線の両端に前記切込み線の上端を含む一対の小孔を開設して、これらの小孔内空間により折曲げ線の長さを実質的に延長させ、かつ、前記切込み線の内側には、前記折曲げ線を基点として台紙上方から紙葉の前面を通ってスリット内へリング状に巻き込める長さと、先端に前記一対の小孔により長さを延長させた折曲げ線の長さよりも横幅の大きい係止フックとを設けたことを特徴とするカレンダー。
【００１５】
本発明の別の実施態様としては、台紙が、一枚の台紙の中央部に設けられた中央折り線を介して山形に折り曲げられた前後２枚の表台紙と裏台紙とからなっていて、紙葉を綴じるための表台紙は、中央折り線の下方に、両端に開設した小孔内空間によって長さを実質的に延長させた折曲げ線と、この折曲げ線を起点として紙葉のスリット内を通して台紙の上辺方向へリング状に巻き込める長さと、先端に前記紙葉スリットの長さよりも横幅の大きい係止フックとを設けたリング綴じ片を備え、他方の裏台紙の上辺部には、前記リング綴じ片の先端の係止フックが挿通された状態でフック両端がスリットの内側に係止されるような幅の係止スリットを有しているような構造であってもよい。
【００１６】
先に述べたカレンダーの構造、及び別の実施態様によるカレンダーの構造とも、リング綴じ片の先端部に設けられる係止フックの前縁は、ドーム状に膨出力している形状とすることが好ましい。
【００１７】
また、台紙の上辺部に設けられるリング綴じ片の折曲げ線は、この折曲げ線の両端部に開設された一対の小孔における台紙上辺に接近した位置をそれぞれ接点とする接線上に設けられているような構造とすることが好ましい。
【００１８】
さらに、台紙の上辺部においてリング綴じ片の両側縁を形成する一対の切込み線は、一対の小孔の相対向する曲面位置を接点とする接線から、上方の折曲げ線と直交する方向へ平行に延出されているような構造とすることが好ましい。
【発明の効果】
【００１９】
本発明のカレンダーでは、紙葉の背面に配置される台紙の上辺部に、一端に折曲げ線、先端にフックを設けたリング綴じ片を適宜の間隔により複数箇所にわたって設け、これらのリング綴じ片を、台紙の上端方向からカレンダー紙葉の前面側を通して紙葉スリット内へ挿通するが、このリング綴じ片を上方へ折り曲げた後の台紙には、このリング綴じ片の抜け出た空間部であって、この空間部の上端に折曲げ線の両端の小孔間により拡開された係止部が設けられているので、リング綴じ片の先端部の係止フックを、この空間部を通して係止部の裏側に挿入すれば、係止フックの幅は、小孔間により拡開された係止部の幅よりも大きいので、係止フックの両端が係止部背面に確実に係止されることになり、接着剤を一切用いることなくカレンダーを製造することができる。
【００２０】
このカレンダーでは、カレンダー紙葉の背面にリング綴じ片を設けるための台紙を必要とするが、この台紙は、従来のこの種のカレンダーのように、綴じ込まれる全ての上質の紙葉に印刷を施さない広範囲の余白部分を予め設けることになるものに比較して低い価格で製造することができる。
【００２１】
カレンダー紙葉は、背面の台紙に設けたリング綴じ片により、紙葉の上辺を間隔を置いて複数箇所綴じることができるので、従来のこの種のカレンダーのようにに、綴じ部の両側部分が、前方へ垂れ下がるように折れ曲がってしまうという欠陥を確実に解消することができる。
【発明を実施するための最良の形態】
【００２２】
台紙の上辺部に設けられるリング綴じ片としては、折曲げ線の両端及び切込み線の上端が一対の小孔により連結するように構成したが、小孔に対して折曲げ線が設けられる位置としては、この折曲げ線の両端が、それぞれの小孔における台紙上辺に接近した位置をそれぞれ接点とする接線上に設けられているような形状とすることが好ましい。
【００２３】
また、小孔に対して切込み線が設けられる位置としては、これら切込み線の上端が、それぞれの小孔の相対向する曲面位置を接点とする接線から、上方の折曲げ線と直交する方向へ平行に延出されているような構造とすることが好ましい。
【実施例】
【００２４】
次に、本発明に係るカレンダーの構造を、図面に示す実施例について説明すると、図１は複数枚のカレンダー紙葉１を上辺１ａの綴じ部を支点として上方へ持ち上げて、台紙２の表面に設けられるリング状綴じ片４の形状と、綴じ方とを順に説明した壁掛けカレンダーの説明図であり、図２は台紙２の平面図、図３は部分拡大側面図である。
【００２５】
図１に示すように、この発明のカレンダーは、複数枚のカレンダー紙葉１と、これらの紙葉１の背面に配置される厚手の台紙２とから基本的に構成されていて、各カレンダー紙葉１は、上辺１ａより所定の間隔をおいた下方位置に、長さが紙葉１の上辺１ａと平行な向きで、後に述べる台紙２に設けられたリング綴じ片４を挿通することのできるような複数個のスリット３が、互いに所定の幅間隔をおいて配置されるように開設されており、また、台紙２は、カレンダー紙葉１の背面に配置されて、上辺２ａより所定の間隔をおいた下方部分に、前記紙葉１のスリット３内へ挿通されて紙葉１を綴じるための複数個のリング綴じ片４とが設けられている。
【００２６】
台紙２の上辺部に設けられるリング綴じ片４は、台紙２の上辺２ａより所定の間隔をおいた下方の前記紙葉１のスリット３と対応する高さ位置に、それぞれ台紙上辺２ａと平行な向きの設けられた折曲げ線５と、この折曲げ線５の両端部から、台紙２の上辺２ａと直交する方向へ延びるように、紙葉１のスリット３内へ挿通可能な幅Ｗ１をもった一対の切込み線６とを設けることによって形成されている。
【００２７】
図４及び図５に示すように、リング綴じ片４を形成するための前記折曲げ線５の両端と、同じくリング綴じ片４を形成する一対の切込み線６の上端とがそれぞれ交わる部分には、一対の小孔７が開設されていて、これらの小孔７によって、折曲げ線５の長さが、本来の長さＬよりもそれぞれの小孔７内の空間を含めた分の実質的な長さＷ２に延長されるようになっている。
【００２８】
カレンダー紙葉１に設けられるリング綴じ片４を挿通するためのスリット３は、その長さＲ１（図１参照）が、台紙２に設けられる両小孔７，７内の空間によって延長された折曲げ線５の長さＷ２とほぼ等しい寸法になっている。
【００２９】
前記折曲げ線５の両端から台紙上辺２ａと直交する方向へ延びる切込み線６の下端には、前記折曲げ線５における一対の小孔７内の空間によって延長された長さＷ２よりも大きい横幅Ｗ３の突片８ａ、８ｂをもった係止フック８が設けられていて、左右の切込み線６の下端に前記係止フック突片８ａ、８ｂが設けられることで、折曲げ線５を介して前記リング綴じ片４が形成されている。なお、この係止フック８の前縁８ｃはドーム状曲面のように膨出した形状とすることが好ましい。
【００３０】
リング綴じ片４は、図１及び図３のように、折曲げ線５を基点として台紙２の前面方向へ折り曲げられてから、先端の係止フック８をカレンダー紙葉１のスリット３内へ挿通し、次いで台紙２の上方で再び台紙２の裏面方向へリング状に巻回して台紙２の裏面方向へ折り返し、係止フック８を台紙２における折曲げ線５の下面に一対の小孔７，７間に設けられる空間による係止部Ｅ内へ差し込むことができるような長さＨを有している。
【００３１】
台紙２のリング綴じ片４を紙葉１のスリット３内へ挿通する際には、まず図６ａに示すように、係止フック８における一方の突片８ａがスリット３内の一方側へ挿入できるように差し込む。次に、図６ｂのように、リング綴じ片４を前記突片８ａが差し込まれた方向へ移動することで、他方の突片８ｂがスリット３内の他方側へ挿入できる姿勢とし、両方の突片８ａ，８ｂをスリット３内に貫通してから、図６ｃのように、リング綴じ片４をスリット３に対する正しい位置へ戻すように移動する。
【００３２】
台紙２における折曲げ線５は、両端が一対の小孔７，７に接続されることで、実質的に小孔７，７の空間の分が加えられた長さＷ２であればよいが、この折曲げ線５は、図４に示すように、両端部に開設された一対の小孔７，７における台紙上辺２ａに接近した位置をそれぞれ接点Ｐとする接線上に設けられていることが好ましい。また、リング綴じ片４の両側縁を形成する一対の切込み線６は、同様に一対の小孔７，７の相対向する曲面位置を接点Ｑとする接線として、折曲げ線５と直交する方向へ平行に延出している形状とすることが好ましい。
【００３３】
図１は、台紙２に設けられたリング綴じ片４の形状と組み立て方を、右から左へ向けて順次説明したものであり、最も右側のリング綴じ片４Ａは、台紙２に折曲げ線５を基点とする切込み線６と係止フック８とが切り込まれた時の形状を示しており、その隣のリング綴じ片４Ｂは、上端の折曲げ線５を基点にして下端の係止フック８を台紙２の前面方向へ引き出した状態を示している。
【００３４】
さらに、その左隣のリング綴じ片４Ｃは、下端の係止フック８を台紙２の前面に配置する紙葉１の上辺部に設けられたスリット３内へ挿通する前の状態を示している。そして最も左側のリング綴じ片４Ｄは、リング綴じ片４により台紙２と紙葉１とが綴じられた状態を示しており、その時係止フック８は、紙葉１のスリット３内へ挿通された後に、紙葉上辺１ａ及び台紙上辺２ａの上方より台紙２の背面方向へリング状に巻回してから、台紙２の小孔７により長さの延びた折曲げ線５の下方の空間を通して台紙２の前面側へ突出させる。
【００３５】
図７は、リング綴じ片４の係止フック８を折曲げ線５の下方の空間の係止部Ｅを通して台紙２の前面側へ突出させて係止するときの手順を示している。手順としては、まず、図７ａのように台紙２の背面から、係止フック８を傾斜させて、一方のフック８ａが切込み線６の間の空間を通って台紙２の左側の前面側へ位置するように差し込む。
【００３６】
その時、フック８ａと切込み線６との隅部Ｇは、折曲げ線５の長さが小孔７の内周により延長された位置まで移動することができる。そのため、図６ｂのように、係止フック８の他方のフック８ｂを平行する切込み線６の間から台紙２の右側の前面側へ余裕をもって差し込める状態としてから、フック８ｂを台紙２の右側の前面側へ差し込んで、図６ｃのように、係止フック８を水平状態に直す。
【００３７】
係止フック８を水平に直した後、図６ｃのように係止フック８を、その中心線と切込み線６の中心線とが一致するように左側へ移動すると、係止フック８の両端８ａ，８ｂが、いずれも一対の小孔７の外側へ突出して小孔７から抜け出ないように台紙２の前面に確実に係止されることになる。
【００３８】
上記の実施例では、図４に示すように、折曲げ線５が、両端部に開設された一対の小孔７，７における台紙上辺２ａに接近した位置をそれぞれ接点Ｐとする接線上に設けられており、また、リング綴じ片４の両側縁を形成する一対の切込み線６が、一対の小孔７，７の相対向する曲面位置を接点Ｑとする接線として、折曲げ線５と直交する方向へ平行に延出した形状としたが、別の実施例として、図５のように、折曲げ線５の両端が小孔７と直接交差し、また、リング綴じ片４を形成する一対の切込み線６が、それぞれ小孔７と直接交差するような形状としてもよい。
【００３９】
図８は、本発明を卓上カレンダーに実施した例を示している。このカレンダーの場合は、台紙２０の中央部に折り線２１を設け、この折り線２１の両側に表台紙２０ａと裏台紙２０ｂとが、断面逆Ｖ字形に組み立てられるように構成されおり、表台紙２０ａには、折り線２１のやや下方に、先の壁掛けカレンダーの構造で記載したリング綴じ片４と同様に、折曲げ線５０、小孔７０、切込み線６０及び係止フック８０とを備えたリング綴じ片４０が、間隔をおいて複数個設けられている。
【００４０】
一方、裏台紙２０ｂには、折り線２１のやや下方に、前記表台紙２０ａに設けられた、リング綴じ片４０の係止フック８０が差し込まれるための係止スリット３０が設けられている。この係止スリット３０は、前記リング綴じ片４０における小孔７０の内径とほぼ同じ程度の幅Ｒ２と、両小孔７，７内の空間を含めた折曲げ線５の長さＷ２とほぼ等しい長さＲ１を有するように開設されている。
【産業上の利用可能性】
【００４１】
本発明に係るカレンダーは、複数枚のカレンダー紙葉１を台紙に設けた紙製のリング綴じ片により、接着剤を一切用いることなく綴じることができ、しかもリング綴じ片の先端係止フックにより、紙葉の確実な係止作用が得られるので、使用後に焼却処理しても、有害ガスの発生防止に役立ち、この種の他製品に比較して信頼性の高いカレンダーとすることができる。
【図面の簡単な説明】
【００４２】
【図１】本発明を壁掛けカレンダーに適用した場合におけるリング綴じ片４の形状と、綴じ方とを順に説明した斜視図。
【図２】図１のカレンダーにおける台紙の平面図。
【図３】図１のカレンダーの構成を示す部分拡大側面図。
【図４】台紙に設けられるリング綴じ片の形状を示す拡大平面図。
【図５】同じくリング綴じ片の別の実施例の形状を示す拡大平面図。
【図６】リング綴じ片の係止フックを紙葉のスリット内に挿入する時の手順を示す説明図。
【図７】同じく綴じ片の係止フックを台紙の係止部に挿入する時の手順を示す説明図。
【図８】本発明を卓上カレンダーに適用した場合の構成を示す一部切欠き斜視図。
【図９】卓上カレンダーの構造に用いられる台紙の形状を示す平面図。
【符号の説明】
【００４３】
１，１０：紙葉、
１ａ：紙葉上辺、
２，２０：台紙、
２ａ：台紙上辺、
２１：折り線、
３，３０：スリット、
４，４０：リング綴じ片、
５，５０：折曲げ線、
６，６０：切込み線、
７，７０：小孔、
８，８０：係止フック、
【図１】
2006247865.tif 000003
【図２】
2006247865.tif 000004
【図３】
2006247865.tif 000005
【図４】
2006247865.tif 000006
【図５】
2006247865.tif 000007
【図６】
2006247865.tif 000008
【図７】
2006247865.tif 000009
【図８】
2006247865.tif 000010
【図９】
2006247865.tif 000011